(57)【要約】      （修正有）【課題】泡生成機能を備えた液状内容物放出機構における泡生成作用や組立作業効率の向上と、当該機能を備えていない液状内容物放出機構の泡状放出化を図る。【解決手段】筒状部５ａ，５ｂ，５ｃと泡生成用部材のメッシュ５ｅ，５ｆからなる泡生成用アタッチメント５を、液状内容物の放出口４ａに外付けした。外付けにより筒状部やメッシュの作成に際してのサイズ上の制約をなくした。トリガーレバー１の操作によって放出口４ａから放出された容器本体７の内容物は、スリット５ｄからの空気を取り込みながらメッシュ５ｅ，５ｆ通過の攪拌作用で泡状物内容物となって外部空間に放出される。【選択図】図２
2010142689.tif 000002
【特許請求の範囲】
【請求項１】
液状の内容物を収容した容器の放出口の外側に取り付けられることにより当該放出口から外部に続く形の内容物通路域として作用する筒状部と、
前記内容物通路域の前記放出口の側に設けられた外気取入れ用の内外連通部と、
前記内容物通路域の前記内外連通部より下流側に設けられた泡生成作用部と、を備えている、
ことを特徴とする容器内容物の泡生成用アタッチメント。
【請求項２】
前記泡生成作用部は、
前記筒状部の内周面間に横断する形で設定されたメッシュ状のものである、
ことを特徴とする請求項１記載の容器内容物の泡生成用アタッチメント。
【請求項３】
前記泡生成作用部は、
前記筒状部の前記内容物の流れ方向に離間した部分にそれぞれ設定されている、
ことを特徴とする請求項１または２記載の容器内容物の泡生成用アタッチメント。
【請求項４】
前記筒状部は、
前記内容物の流入側部分，第１の前記泡生成作用部および前記内外連通部が一体成形された上流側部材と、
前記内容物の流出側部分および第２の前記泡生成作用部が一体成形された下流側部材と、からなる、
ことを特徴とする請求項３に記載の容器内容物の泡生成用アタッチメント。
【請求項５】
請求項１乃至請求項４のいずれかに記載の容器内容物の泡生成用アタッチメントを備え、かつ、液状内容物を収容した、
ことを特徴とするポンプ式製品。
【請求項６】
請求項１乃至請求項４のいずれかに記載の容器内容物の泡生成用アタッチメントを備え、かつ、噴射用ガスおよび液状内容物を収容した、
ことを特徴とするエアゾール式製品。
【発明の詳細な説明】
【技術分野】
【０００１】
本発明は、各種の液状内容物を収容した通常のポンプ容器やエアゾール容器などの放出口の外側に取り付けて使用される泡生成用アタッチメントである。
【０００２】
すなわち、いわば外付けタイプの筒状部材であって、それが取り付けられたポンプ容器などの放出口から流入する液状内容物を、筒状内部のメッシュなどを通すことにより泡状にしてから外部空間に放出する機能を備えたものである。
【０００３】
適用対象の液状内容物としては、例えば石けん，消毒剤，化粧品，乳液、シェービングフォーム，ヘアスタイリングフォーム，洗剤，染毛剤，シャンプー，リンス，殺虫剤など、後述のように各種のものがある。
【０００４】
なお、本明細書においては、液状内容物が収容された容器本体のみならず当該容器本体からノズルまでの全体構成も含む意で「容器」の語を用い、また、泡生成用アタッチメントの放出口側（図１などの左側）を「前」と記し、これとは反対のノズル側（図１などの右側）を「後」と記す。
【背景技術】
【０００５】
ポンプ容器などに収容された液状内容物の泡生成機能を持つ放出機構は例えば下記の特許文献１で開示されている。
【０００６】
特許文献１の放出機構は、容器内容物（点鼻薬）の噴出ノズルの先端（放出口）に凹部を設けて、この凹部に、泡生成のための筒状のノズルチップがメッシュ部材とともに取り付けられたものである。
【０００７】
そして、ノズルチップを噴出ノズルの先端凹部に取り付けた状態では、
(11)ノズルチップの内容物流入口にメッシュ部材が配置され、
(12)メッシュ部材の上流側通路域への外気流通路が、ノズルチップの外周面と噴出ノズルの先端凹部内周面との間に設定される。
【特許文献１】特開２００８−１３２４０６号公報
【発明の開示】
【発明が解決しようとする課題】
【０００８】
このように、従来の泡生成機能を備えた液状内容物放出機構は、ノズル自体の先端放出口に凹部を形成した上で、そこに泡生成用のメッシュ部材とその下流側部材に相当する筒状のノズルチップとをいわば組み込んでいる。
【０００９】
すなわち、液状内容物の出力側放出通路としてのノズル先端側部分の一部を構成する内部空間域に、泡生成用の筒状のノズルチップを設けたものである。
【００１０】
そのため、ノズルチップの長手方向や径方向の大きさは当然のことながらノズルの上記内部空間域のサイズ範囲に制約されてしまい、液状内容物の十分な泡生成作用を呈する大きさのノズルチップを用いることがむずかしかった。
【００１１】
また、ノズル先端側部分の狭い内部空間域に小さなサイズのノズルチップやメッシュ部材などを組み込まなければならず、ノズルの組立作業全体の効率改善を図ることがむずかしかった。
【００１２】
そこで、本発明では、液状内容物の放出口にいわば外付けする形の筒状部からなる泡生成用アタッチメントを提供して、泡生成用部材の作成に際してのサイズ上の制約をなくすとともに、泡生成用部材のノズル側への取付け作業の簡便化を図ることを目的とする。
【００１３】
また、ポンプ容器やエアゾール容器の泡生成機能を備えていない各種液状内容物放出機構における泡状放出化を図ることを目的とする。
【課題を解決するための手段】
【００１４】
本発明は、以上の課題を次のようにして解決する。
（１）液状の内容物を収容した容器の放出口（例えば後述の孔部４ａ）の外側に取り付けられることにより当該放出口から外部に続く形の内容物通路域として作用する筒状部（例えば後述の後側ジョイントブッシュ５ａ，中間ジョイントブッシュ５ｂ，前側ジョイントブッシュ５ｃ，上流側成形部材６ａ，下流側成形部材６ｂ）と、
前記内容物通路域の前記放出口の側に設けられた外気取入れ用の内外連通部（例えば後述のスリット５ｄ，孔部６ｂ）と、
前記内容物通路域の前記内外連通部より下流側に設けられた泡生成作用部（例えば後述の後側メッシュ５ｅ，６ｃ，前側メッシュ５ｆ，６ｅ，格子状メッシュ１１，蜂の巣状メッシュ１２，円状メッシュ１３，ターゲット状メッシュ１４）と、
を備えた容器内容物の泡生成用アタッチメントを用いる。
（２）上記（１）において、
前記泡生成作用部は、
前記筒状部の内周面間に横断する形で設定されたメッシュ状のものである。
（３）上記（１），（２）において、
前記泡生成作用部は、
前記筒状部の前記内容物の流れ方向に離間した部分にそれぞれ設定されている。
（４）上記（３）において、
前記筒状部は、
前記内容物の流入側部分，第１の前記泡生成作用部および前記内外連通部が一体成形された上流側部材と、
前記内容物の流出側部分および第２の前記泡生成作用部が一体成形された下流側部材と、からなる。
【００１５】
本発明は、以上の構成からなる容器内容物の泡生成用アタッチメントならびに当該泡生成用アタッチメントを備えたポンプ式製品およびエアゾール式製品を対象としている。
【発明の効果】
【００１６】
本発明はこのように、液状内容物の放出口にいわば外付けする形の筒状部からなる泡生成用アタッチメントを用いているので、泡生成用部材の作成に際してのサイズ上の制約をなくすとともに、泡生成用部材の取付け作業自体の一層の簡便化を図ることができる。
【００１７】
また、ポンプ容器やエアゾール容器の泡生成機能を備えていない各種液状内容物放出機構における泡状放出化を図ることができる。
【発明を実施するための最良の形態】
【００１８】
図１〜図１４を用いて本発明を実施するための最良の形態（図１〜図１２）およびその比較例（図１３，図１４）を説明する。
【００１９】
上述のように本発明の泡生成用アタッチメントはポンプ容器およびエアゾール容器のいずれにも適用できるものであるが、図面およびそれに基づく以下の記載では単なる説明の便宜上、ポンプ容器の場合を対象としている。
【００２０】
ここで、
図１は、前後の計２枚のメッシュを有する泡生成用アタッチメントが取り付けられた放出機構の静止モードを示し、
図２は、図１の放出機構の放出モードを示し、
図３は、図１の泡生成用アタッチメントのメッシュの形状例を示し、
図４は、２ピースの筒状成形部材のみからなり図１とは異なるタイプの泡生成用アタッチメントを示し、
図５は、図２の放出モードにおける液状内容物の放出状態を示し、
図６は、図５の放出動作により得られる泡状内容物を示し、
図７は、一枚の後側メッシュのみを有する泡生成用アタッチメントがノズル外周面に取り付けられた放出機構の一部を示し、
図８は、図７の放出機構の放出モードにおける液状内容物の放出状態を示し、
図９は、図８の放出動作により得られる泡状内容物を示し、
図１０は、一枚の前側メッシュのみを有する泡生成用アタッチメントがノズル外周面に取り付けられた放出機構の一部を示し、
図１１は、図１０の放出機構の放出モードにおける液状内容物の放出状態を示し、
図１２は、図１１の放出動作により得られる泡状内容物を示し、
図１３は、メッシュ無しのアタッチメントがノズル外周面に取り付けられた放出機構の放出モードにおける液状内容物の放出状態を示し、
図１４は、図１３の放出動作により得られる泡状内容物を示している。
【００２１】
以上の図で用いるアルファベット付き参照番号の構成要素（例えば開口部１ａ）は原則として、当該参照番号の数字部分の構成要素（例えばトリガレバー１）の一部であることを示している。
【００２２】
なお、参照番号６〜６ｅは図４のみで、参照番号５’は図７のみで、参照番号５’’は図１０のみで、またＬ１〜Ｌ５は図１のみでそれぞれ用いている。
【００２３】
図１，図２，図４，図７および図１０において、
１は放出モード設定操作用の回動タイプのトリガレバー，
１ａは当該トリガレバーの前側面上部分およびこれに続く天面前部分に形成されて後述のノズル３（ピストン２）の上下動を可能にするための開口部，
１ｂは当該トリガレバーの両側面にそれぞれ形成されて後述の軸部分９ｂとの係合作用によりトリガレバーの回動中心となる一対の孔部，
２はトリガレバー１の回動操作にともなって下動して放出モード位置に移動するＬ字状で筒状のピストン，
２ａは内側の内容物通路，
２ｂはピストン外周面に形成されて、トリガレバー１の回動を当該ピストンの下方向への移動に変換するための周知の円柱状部（カムフォロワ部），
２ｃはピストン外周面に形成されて、後述の誤動作防止部材１０の縦方向溝状部１０ｂとの協働により誤操作防止（放出モード設定阻止）部材として作用する縦方向リブ状部，
３はピストン２の先端側に嵌合状態で取り付けられたノズル，
３ａは当該ノズルの内容物流入側に形成される内容物通過用の第１の空間域，
４は底面部分に周知の噴霧用螺旋溝状部を有して、ノズル３の先端凹状部に嵌合状態で取り付けられたノズルチップ，
４ａは内容物流出用の孔部，
４ｂは当該ノズルチップの内周面に形成された内容物通過用の溝状部，
４ｃは当該ノズルチップの底面側に形成される内容物通過用の第２の空間域，
５はノズル３の先端側外周面に後付けの形で取り付けられた泡生成用アタッチメント，
５ａは後側ジョイントブッシュ，
５ｂは当該後側ジョイントブッシュと嵌合状態の中間ジョイントブッシュ，
５ｃは当該中間ジョイントブッシュと嵌合状態の前側ジョイントブッシュ，
５ｄは後側ジョイントブッシュ５ａの後端部分に形成された空気取入れ用の例えば２個のスリット，
５ｅは後側ジョイントブッシュ５ａと中間ジョイントブッシュ５ｂとに挟持された後側メッシュ，
５ｆは中間ジョイントブッシュ５ｂと前側ジョイントブッシュ５ｃとに挟持された前側メッシュ，
５’は前側メッシュ５ｆを省略して後側メッシュ５ｅのみを備えた泡生成用アタッチメント（図７参照），
５’’は後側メッシュ５ｅを省略して前側メッシュ５ｆのみを備えた泡生成用アタッチメント（図１０参照），
６は二つの成形部材を嵌合させた形の泡生成用アタッチメント（図４参照），
６ａは当該泡生成用アタッチメントの一方の構成要素である筒状の上流側成形部材，
６ｂは当該上流側成形部材に形成された空気取入れ用の例えば２個の孔部，
６ｃは当該上流側成形部材の一部であって泡生成用の後側メッシュ，
６ｄは当該泡生成用アタッチメントの他方の構成要素である筒状の下流側成形部材，
６ｅは当該下流側成形部材の一部であって泡生成用の前側メッシュ，
７は液状内容物を収容した容器本体，
８は容器本体７の開口部に螺合しているネジキャップ，
９はハウジング（図示省略）と一体化して、ピストン２や内部に配設された周知のポンプ機構を保護する筒状のカバー体，
９ａは当該カバー体の上側小径部分から延びた形のアーム状部，
９ｂは当該アーム状部の上端側外面に形成されてトリガレバー１の孔部１ｂに入り込んだ状態で使用され、当該トリガレバーの回動操作の中心軸として作用する一対の軸部分，
９ｃは当該カバー体の下側大径部分の外周面に付されて後述の誤動作防止部材９の放出モード設定可能位置の目安を示すマーク，
１０はカバー体８の上側小径部分に上下動せずに回動可能な形で取り付けられて、その回動位置に応じてピストン２の下動を阻止する、すなわち放出モード設定操作をできなくする誤動作防止部材，
１０ａは当該誤動作防止部材の回動操作用のつまみ，
１０ｂはピストン２の縦方向リブ状部２ｃの進入を許容する縦方向溝状部，
１１は格子状メッシュ，
１２は蜂の巣状メッシュ，
１３は円状メッシュ，
１４はターゲット状メッシュ，
Ｌ１は泡生成用アタッチメントの長さ， 
Ｌ２はノズルチップ４の孔部４ａから後側メッシュまでの長さ，
Ｌ３は後側メッシュ５ｅから前側メッシュ５ｆまでの長さ，
Ｌ４は前側メッシュ５ｆから泡生成用アタッチメントの放出口までの長さ，
Ｌ５は泡生成用アタッチメントの内容物通路とスリット５ｄとの境界部分における軸方向の長さ， 
をそれぞれ示している。
【００２４】
ここで、トリガレバー１，ピストン２，ノズル３，ノズルチップ４，泡生成用アタッチメント５，５’，５’’，６，容器本体７，ネジキャップ８，カバー体９，誤動作防止部材１０，格子状メッシュ１１，蜂の巣状メッシュ１２，円状メッシュ１３およびターゲット状メッシュ１４はそれぞれ、ポリプロピレン，ポリエチレン，ポリアセタール，ナイロン，ポリブチレンテレフタレートなどからなるプラスチック製のものである。
【００２５】
図示した内容物放出機構の中で本発明に特有な構成要素はアタッチメント５，５’，５’’，６のみであり、このアタッチメントが取り付けられていない状態の内容物放出機構（ポンプ容器）自体は汎用的なものである。
【００２６】
図１の静止モードのトリガレバー１を引いて図示反時計方向に回動させる途中の図２の放出モードでは、ネジキャップ８やカバー体９などの内部に設けられた周知のポンプ機構（図示省略）が動作してその吸込弁が閉じて吐出弁が開く。
【００２７】
このポンプ作用により、吸込弁と吐出弁との間の貯留空間域に収容されていた液状内容物が「内容物通路２ａ−第１の空間域３ａ−溝状部４ｂ−第２の空間域４ｃ−孔部４ａ」を経て泡生成用アタッチメント５の内部空間域に霧状態で流入する。
【００２８】
泡生成用アタッチメント５に流入した液状内容物は、後側メッシュ５ｅを通り、さらには前側メッシュ５ｆに通ってから外部空間に放出される。
【００２９】
この外部空間への放出に際して、液状内容物は、泡生成用アタッチメント５の後側メッシュ５ｅ、前側メッシュ５ｆや内周面部分にぶつかることにより攪拌されていわば細かくなった状態で、その中に空気を含んだ形の泡状内容物に変化する。
【００３０】
この泡状内容物の生成に用いられた空気分に応じる形で、あるいは泡生成用アタッチメント５に流入した液状内容物の流れに応じる形で、外気が、スリット５ｄから吸入されてアタッチメント内部に取り込まれる。
【００３１】
泡生成用アタッチメント５に組み込まれる後側メッシュ５ｅ，前側メッシュ５ｆとしては、図３の格子状メッシュ１１，蜂の巣状メッシュ１２，円状メッシュ１３およびターゲット状メッシュ１４などが用いられる。泡生成用アタッチメント５’，５’’，６のそれぞれにおける各メッシュも同様である。
【００３２】
なお、図５，図６，図８，図９，図１１および図１２の内容物放出状態の各検証では格子状メッシュ１１を用いている。
【００３３】
この各検証で用いた泡生成用アタッチメント５，５’，５’’および格子状メッシュ１１の仕様は以下のとおりである（図１参照）。
(21)泡生成用アタッチメントの長さＬ１：24.9mm，同外径：11.6mm，同内径：7.1mm
(22)ノズルチップ４の孔部４ａから後側メッシュ５ｅの後面までの長さＬ２：5.0mm
(23)後側メッシュ５ｅの後面から前側メッシュ５ｆの後面までの長さＬ３：10.5mm
(24)前側メッシュ５ｆの後面から泡生成用アタッチメント放出口までの長さＬ４：6.1mm
(25)泡生成用アタッチメントの内容物通路とスリット５ｄとの境界部分における軸方向の長さＬ５：1.5mm，当該境界部分の径方向の幅：0.8mm
(26)格子状メッシュ１１の各孔部の大きさ：1.3mm×1.3mm，隣同士の孔部間隔：0.45mmm，当該メッシュの厚み：0.45mm
【００３４】
以上の仕様からなる格子状メッシュ付の各泡生成用アタッチメントを図１のポンプ式製品に取り付けた上で、当該アタッチメントからの内容物放出状態を検証した。なお、液状内容物には洗顔料（花王株式会社製ビオレマシュマロホイップ）を用いている。また、格子状メッシュ１１としては直径0.45mmの樹脂線を編んだものを用いた。
【００３５】
図５および図６は、前側メッシュ５ｆおよび後側メッシュ５ｅをともに具備する泡生成用アタッチメント５を図１のポンプ式製品に取り付けたとき（図２参照）の内容物放出状態を写真撮影したものである。
【００３６】
図８および図９は、後側メッシュ５ｅのみを具備する泡生成用アタッチメント５’を図１のポンプ式製品に取り付けたとき（図７参照）の内容物放出状態を写真撮影したものである。
【００３７】
図１１および図１２は、前側メッシュ５ｆのみを持つ泡生成用アタッチメント５’を図１のポンプ式製品に取り付けたとき（図１０参照）の内容物放出状態を写真撮影したものである。
【００３８】
これらの検証結果からも明らかなように、前後それぞれのメッシュ５ｆ，５ｅを備えた泡生成用アタッチメント５，後メッシュ５ｅのみを備えた泡生成用アタッチメント５’および前メッシュ５ｆのみを備えた泡生成用アタッチメント５’’のいずれを取り付けた場合にも、きめ細かくて連続したまとまり感のある泡状内容物を取り出すことができた。
【００３９】
目視による印象でこれらを強いて比較すれば、泡生成用アタッチメント５の放出内容物（図５，図６参照）が最もまとまったクリーミー感を得るものであり、泡生成用アタッチメント５’’の放出内容物（図１１，図１２参照）がこれに次ぐものといえる。もっとも泡生成用アタッチメント５’の放出内容物（図８，図９参照）も十分なまとまり感を持っている。
【００４０】
なお、図１３および図１４は、メッシュ無しのアタッチメントを図１のポンプ式製品にメポンプ式製品に取り付けたときの内容物放出状態を写真撮影したものである。
【００４１】
本発明の泡生成用アタッチメントの基本的特徴は、ポンプ式製品やエアゾール式製品の放出口の外側に取り付けられた筒状部材であって、その内部の内容物通路にメッシュなどの泡生成作動用を設けたことである。
【００４２】
したがって、上述の仕様で示した泡生成用アタッチメント５，５’，５’’および格子状メッシュ１１の各数値も例えば一例にすぎないことは勿論である。
【００４３】
図４の泡生成用アタッチメント６は二つの構成要素（上流側成形部材６ａ，下流側成形部材６ｄ）のみからなっている。
【００４４】
この上流側成形部材６ａに形成された空気取入れ用の孔部６ｂの内径は1.2mmである。なお、上述の長さＬ２〜Ｌ４のそれぞれに相当する部分の値は泡生成用アタッチメント５，５’，５’’のそれと同様である。
【００４５】
トリガレバー１の回動操作を止めると、周知のポンプ機構のコイルスプリング（図示省略）の作用によりピストン２が上方向に移動する。そしてトリガレバー１は、このピストン２の移動にともなうその円柱状部２ｂとのカム作用により図示時計方向に回動して、図１の静止モードに復帰する。
【００４６】
本発明が以上の実施形態に限定されないことは勿論であり、例えば液状内容物を攪拌して泡状態にするための構成要素としては、上記メッシュのほかに、泡生成用アタッチメント内周面に形成された凹凸部やリブ状部なども用いられる。
【００４７】
また、泡生成用アタッチメント５，５’，５’’の空気取入れ用のスリット５ｄや泡生成用アタッチメント６の空気取入れ用の孔部６ｂの形成個数はそれぞれ任意である。
【００４８】
また、以上の泡生成用アタッチメントは、押下げ式，スパウト式などの各種操作釦を用いるタイプや、液状内容物を直噴または泡状噴射するタイプのポンプ式製品やエアゾール式製品にも適用しえる。
【００４９】
本発明が適用されるポンプ式製品やエアゾール式製品としては、洗浄剤，清掃剤，制汗剤，冷却剤，筋肉消炎剤，ヘアスタイリング剤，ヘアトリートメント剤，染毛剤，育毛剤，化粧品，シェービングフォーム，食品，栄養補助食品（ビタミンなど）医薬品，医薬部外品，塗料，園芸用剤，忌避剤（殺虫剤），クリーナー，消臭剤，洗濯のり，ウレタンフォーム，消火器，接着剤，潤滑剤などの各種用途のものがある。
【００５０】
容器本体に収納する内容物は、主に液状のものを用いるが、噴霧・噴射可能なものであればクリーム状，ゲル状など種々の形態のものでもよい。また、内容物に配合される成分としては例えば、粉状物，油成分，アルコール類，界面活性剤，高分子化合物，各用途に応じた有効成分，水などが挙げられる。
【００５１】
粉状物としては、金属塩類粉末，無機物粉末や樹脂粉末などを用いる。例えば、タルク，カオリン，アルミニウムヒドロキシクロライド（アルミ塩），アルギン酸カルシウム，金粉，銀粉，雲母，炭酸塩，硫酸バリウム，セルロース，これらの混合物などを用いる。
【００５２】
油成分としては、シリコーン油，パーム油，ユーカリ油，ツバキ油，オリーブ油，ホホバ油，パラフィン油，ミリスチン酸，パルミチン酸，ステアリン酸，リノール酸，リノレン酸などを用いる。
【００５３】
アルコール類としては、エタノールなどの１価の低級アルコール，ラウリルアルコールなどの１価の高級アルコール，エチレングリコール，グリセリン，1,3−ブチレングリコールなどの多価アルコールなどを用いる。
【００５４】
界面活性剤としては、ラウリル硫酸ナトリウムなどのアニオン性界面活性剤、ポリオキシエチレンオレイルエーテルなどの非イオン性界面活性剤、ラウリルジメチルアミノ酢酸ベタインなどの両性界面活性剤、塩化アルキルトリメチルアンモニウムなどのカチオン性界面活性剤などを用いる。
【００５５】
高分子化合物としては、メチルセルロース，ゼラチン，デンプン，カゼイン，ヒドロキシエチルセルロース，キサンタンガム，カルボキシビニルポリマーなどを用いる。
【００５６】
各用途に応じた有効成分としては、サリチル酸メチル，インドメタシンなどの消炎鎮痛剤、安息香酸ナトリウム，クレゾールなどの除菌剤、ヒレスロイド，ジエチルトルアミドなどの害虫忌避剤、酸化亜鉛などの制汗剤、カンフル，メントールなどの清涼剤、エフェドリン，アドレナリンなどの抗喘息薬、スクラロース，アスパルテームなどの甘味料、エポキシ樹脂，ウレタンなどの接着剤や塗料、パラフェニレンジアミン，アミノフェノールなどの染料，リン酸二水素アンモニウム，炭酸水素ナトリウム・カリウムなどの消火剤などを用いる。
【００５７】
さらに、上記内容物以外の、懸濁剤，紫外線吸収剤，乳化剤，保湿剤，酸化防止剤、金属イオン封鎖剤なども用いることができる。
【００５８】
エアゾール式製品における内容物放出用ガスとしては、炭酸ガス，窒素ガス，圧縮空気，酸素ガス，希ガス，これらの混合ガスなどの圧縮ガスや、液化石油ガス，ジメチルエーテル，フロロカーボンなどの液化ガスを用いる。
【図面の簡単な説明】
【００５９】
【図１】前後の計２枚のメッシュを有する泡生成用アタッチメントが取り付けられた放出機構の静止モードを示す説明図である。
【図２】図１の放出機構の放出モードを示す説明図である。
【図３】図１の泡生成用アタッチメントのメッシュの形状例を示す説明図である。
【図４】２ピースの筒状成形部材のみからなり図１とは異なるタイプの泡生成用アタッチメントを示す説明図である。
【図５】図２の放出モードにおける液状内容物の放出状態を示す説明図である。
【図６】図５の放出動作により得られる泡状内容物を示す説明図である。
【図７】一枚の後側メッシュのみを有する泡生成用アタッチメントがノズル外周面に取り付けられた放出機構の一部を示す説明図である。
【図８】図７の放出機構の放出モードにおける液状内容物の放出状態を示す説明図である。
【図９】図８の放出動作により得られる泡状内容物を示す説明図である。
【図１０】一枚の前側メッシュのみを有する泡生成用アタッチメントがノズル外周面に取り付けられた放出機構の一部を示す説明図である。
【図１１】図１０の放出機構の放出モードにおける液状内容物の放出状態を示す説明図である。
【図１２】図１１の放出動作により得られる泡状内容物を示す説明図である。
【図１３】メッシュ無しのアタッチメントがノズル外周面に取り付けられた放出機構の放出モードにおける液状内容物の放出状態を示す説明図である。
【図１４】図１３の放出動作により得られる泡状内容物を示す説明図である。
【符号の説明】
【００６０】
１：トリガレバー
１ａ：開口部
１ｂ：一対の孔部
２：ピストン
２ａ：内容物通路
２ｂ：円柱状部（カムフォロワ部）
２ｃ：縦方向リブ状部
３：ノズル
３ａ：第１の空間域
４：ノズルチップ
４ａ：孔部
４ｂ：溝状部
４ｃ：第２の空間域
５：泡生成用アタッチメント
５ａ：後側ジョイントブッシュ
５ｂ：中間ジョイントブッシュ
５ｃ：前側ジョイントブッシュ
５ｄ：複数のスリット
５ｅ：後側メッシュ
５ｆ：前側メッシュ
５’：泡生成用アタッチメント（図７参照）
５’’：泡生成用アタッチメント（図１０参照）
６：泡生成用アタッチメント（図４参照）
６ａ：上流側成形部材
６ｂ：複数の孔部
６ｃ：後側メッシュ
６ｄ：下流側成形部材
６ｅ：前側メッシュ
７：容器本体
８：ネジキャップ
９：カバー体
９ａ：アーム状部
９ｂ：一対の軸部分
９ｃ：マーク
１０：誤動作防止部材
１０ａ：つまみ
１０ｂ：縦方向溝状部
１１：格子状メッシュ
１２：蜂の巣状メッシュ
１３：円状メッシュ
１４：ターゲット状メッシュ
Ｌ１：泡生成用アタッチメントの長さ
Ｌ２：ノズルチップ４の孔部４ａから後側メッシュまでの長さ
Ｌ３：後側メッシュ５ｅから前側メッシュ５ｆまでの長さ
Ｌ４：前側メッシュ５ｆから泡生成用アタッチメントの放出口までの長さ
Ｌ５：内容物通路とスリット５ｄとの境界部分における軸方向の長さ
【図１】
2010142689.tif 000003
【図２】
2010142689.tif 000004
【図３】
2010142689.tif 000005
【図４】
2010142689.tif 000006
【図７】
2010142689.tif 000007
【図１０】
2010142689.tif 000008
【図５】
2010142689.tif 000009
【図６】
2010142689.tif 000010
【図８】
2010142689.tif 000011
【図９】
2010142689.tif 000012
【図１１】
2010142689.tif 000013
【図１２】
2010142689.tif 000014
【図１３】
2010142689.tif 000015
【図１４】
2010142689.tif 000016